(57)【要約】    流体ろ過装置は筺体部と蓋部を備え、蓋部を貫通して延在する安全ピン機構が視覚的表示により流体ろ過装置の不適切な作動を防止する。筺体部には流出穴が含まれており、ろ過する流体の漏れを防止するため、流出穴の内部には蓋部を筺体部に適切に当接させるための流出ガスケットが含まれる。蓋部を筺体部に固定し流体の漏れを防止するためさらに内部円周ガスケットが含まれる。蓋部と筺体部との間のカム界面が蓋部と筺体部とを確実に固定し、安全ピン機構は、蓋部が筺体部から外れるのを防止し、それによって蓋部が意図せずして不安全に筺体部から外れるのを防止する。
2010527768.tif 000002
【特許請求の範囲】
【請求項１】
入口と出口を有する流体通路を画定する内側表面とアクセス口とを備えた筺体部と、
カム界面により前記筺体部に着脱自在に固定可能な蓋部と、
通過する流体をろ過するように構成されたフィルタエレメントと、
前記蓋部と前記筺体部との間を密封して配置されたガスケットとを含み、
前記カム界面は前記筺体部と前記蓋部との両方にカム部材を含む流体フィルタアセンブリ。
【請求項２】
前記ガスケットが、前記筺体部内を流れる流体と流体連通する開放端をさらに含む請求項１に記載の流体フィルタアセンブリ。
【請求項３】
前記筺体部が、筺体部カム部材に近接して流出穴をさらに備える請求項１に記載の流体フィルタアセンブリ。
【請求項４】
前記流出穴の内部に着脱自在に固定された流出ガスケットをさらに備えており、前記流出ガスケットの一部分が前記流出穴を横方向に貫通して延在し、前記流出ガスケットの別の部分が前記筺体部の外側表面から横方向に延在する請求項３に記載の流体フィルタアセンブリ。
【請求項５】
複数の前記流出穴と前記流出ガスケットをさらに備える請求項３に記載の流体フィルタアセンブリ。
【請求項６】
前記蓋部に安全ピンをさらに備えており、前記安全ピンが選択的に前記蓋部を前記筺体部に着脱自在に固定可能にする働きをする請求項４に記載の流体フィルタアセンブリ。
【請求項７】
前記安全ピンがプランジャとバネとをさらに含んでおり、前記蓋部が着脱自在に前記筺体部に固定されると、前記プランジャが前記筺体部のカム部材の側を通過して、前記筺体部の前記カム部材に近接して着座係合する請求項６に記載の流体フィルタアセンブリ。
【請求項８】
前記フィルタエレメントが、フィルタバスケットと、前記フィルタバスケットに係合可能なフィルタバッグとを含む請求項７に記載の流体フィルタアセンブリ。
【請求項９】
前記フィルタエレメントが、フィルタカートリッジを含む請求項７に記載の流体フィルタアセンブリ。
【請求項１０】
前記筺体部の各カム部材が、円周方向に延在する部分と、長手方向に延在する止め部分とを含む請求項１に記載の流体フィルタアセンブリ。
【請求項１１】
入口と出口を有する流体通路を画定する内側表面とアクセス口とを備えたフィルタ筺体部を設けるステップと、
通過する流体をろ過するように構成されたフィルタエレメントを前記流体通路内に配置するステップと、
前記フィルタ蓋部と前記フィルタ筺体部との間を密封して配置されたガスケットとカム界面とにより、前記フィルタ筺体部に着脱自在に固定可能な前記フィルタ蓋部を設けるステップと、
前記フィルタ蓋部を、前記アクセス口を覆うように前記フィルタ蓋部を配置して、前記フィルタ蓋部を前記フィルタ筺体部に着脱自在に固定するステップと、
前記入口から前記出口まで前記フィルタ筺体部と前記フィルタエレメントを介して流体を通過させるステップとを含み、
前記カム界面は前記フィルタ筺体部と前記フィルタ蓋部との両方に複数のカム部材を含む流体ろ過方法。
【請求項１２】
前記ガスケットが、前記フィルタ筺体部内を流れる流体と流体連通する開放端をさらに含む、請求項１１に記載の方法。
【請求項１３】
複数のフィルタ筺体部カム部材に近接して、前記フィルタ筺体部に複数の流出穴を設けるステップをさらに含む請求項１１に記載の方法。
【請求項１４】
前記複数の流出穴の内部に着脱自在に固定された複数の流出ガスケットを設けるステップをさらに含んでおり、前記流出ガスケットの一部分は前記流出穴を横方向に貫通して延在し、前記流出ガスケットの別の部分は前記フィルタ筺体部の外側表面から横方向に延在する請求項１３に記載の方法。
【請求項１５】
前記フィルタ蓋部に安全ピンを設けるステップをさらに含んでおり、前記安全ピンが選択的に前記フィルタ蓋部を前記フィルタ筺体部に着脱自在に固定可能にする働きをする請求項１４に記載の方法。
【請求項１６】
プランジャとバネを含む前記安全ピンを設けるステップをさらに含んでおり、前記フィルタ蓋部が着脱自在に前記フィルタ筺体部に固定されると、前記プランジャが前記フィルタ筺体部のカム部材の側を通過して、前記フィルタ筺体部の前記カム部材に近接して着座係合する請求項１５に記載の方法。
【請求項１７】
前記フィルタ筺体部の各カム部材が、円周方向に延在する部分と、長手方向に延在する止め部分とを含む請求項１６に記載の方法。
【請求項１８】
前記フィルタ蓋部カム部材の各々を、前記フィルタ筺体部カム部材の各々の下に固定するステップをさらに含む請求項１７に記載の方法。
【請求項１９】
前記フィルタ蓋部カム部材の各々を、前記複数の流出穴と流出ガスケットを覆うように配置して着脱自在に固定するステップをさらに含む請求項１８に記載の方法。
【請求項２０】
前記流体フィルタアセンブリを点検して、前記カム界面からの流体の漏れの有無を目視で確認するステップをさらに含む請求項１９に記載の方法。
【発明の詳細な説明】
【技術分野】
【０００１】
本発明は、流体ろ過装置に関し、より詳しくは、内部フィルタエレメントを備え、モジュール式筐体を含み得る流体ろ過装置に関する。
【背景技術】
【０００２】
流体ろ過装置は製造や処理の様々な用途に使用されている。従来の流体フィルタでは通常フィルタカートリッジかフィルタバッグの形態のフィルタエレメントが使用されている。周知のろ過装置は有効ではあるが、流体ろ過装置の予期しない破壊を防止するためのコスト効果の高い方法や、流体ろ過装置が流体ろ過に適した状態にあることを示す表示を提供することは有益である。
【０００３】
従って、流体ろ過装置の筺体部に対する蓋部の装着位置が不適切であることを検知するための安全機能を複数設けた流体ろ過装置を提供する必要性がますます高まっている。
【発明の概要】
【発明が解決しようとする課題】
【０００４】
本発明は、様々な種類の流体をろ過する改良された流体ろ過装置に関する。
【課題を解決するための手段】
【０００５】
本発明の一態様によれば、流体をろ過するため流体フィルタアセンブリには筺体部と蓋部が備えられている。筺体部にはフィルタエレメントを挿入するためのアクセス口が含まれる。蓋部はアクセス口を覆うために使用され、筺体部に固定される。筺体部にはさらに、流体ろ過装置が作動中に流体を通過させる入口と出口が含まれる。
【０００６】
本発明の別の態様によれば、筺体部はさらに、蓋部と筺体部とが互いに固定されると、蓋部のカム係止部材により覆われる複数の流出穴と流出ガスケットを含む。流出穴と流出ガスケットは筺体部と蓋部とが流体密に封止されているかどうかを示す。
【０００７】
本発明の別の態様において、蓋部は、蓋部と筺体部とが互いに固定されると、筺体部の上縁部の内側の半径方向表面に当接する円周ガスケットを含む。円周ガスケットは筺体部の内側と蓋部の内部の円筒状の縁部とが流体密に封止されているかどうかを示す。
【０００８】
本発明の更なる態様では、蓋部が正しい装着位置にないことを視覚的に示し、また蓋部が筺体部から意図せずして外れないよう物理的に固定するように設計された安全ピンが蓋部に設けられる。安全ピンは、蓋部が筺体部に対して正しい装着位置にあるときに筺体部のカム係止部分に当接するプランジャと内部バネとを含む。従って蓋部を筺体部から取り外すためにはこのプランジャをカム係止部分との接触位置から適切に引き上げる必要がある。
【０００９】
添付の図面と共に後述の実施形態の説明を参照することにより、本発明の様々な特徴がより明らかになるであろう。図面においては、同一の参照符号は同一または類似の要素を表す。
【００１０】
本発明の好ましい例示的実施形態を添付の図面に示す。すべての図面を通じて、同一の参照符号は同一の部分を表す。
【図面の簡単な説明】
【００１１】
【図１】密封位置にある、本発明による流体ろ過装置の部分平面図である。
【図２】図１の線２−２に沿った断面図である。
【図３】図２のバネ係止機構の拡大図である。
【図４】図１の線４−４に沿った断面を示す、密封位置にある流体ろ過装置の側面図である。
【図５】中間位置にある、図４の流体ろ過装置の断面を示す側面図である。
【図６】開放位置にある、図４の流体ろ過装置の断面を示す側面図である。
【図７】開放位置にある流体ろ過装置の部分平面図である。
【発明を実施するための形態】
【００１２】
本発明は、図１に示すようなフィルタアセンブリ１０の形状をした、改良された流体ろ過装置を概ね開示している。フィルタアセンブリ１０には、ハンドル１６を有する蓋部１４と筺体部１２が含まれる。筺体部１２には、流体がフィルタアセンブリ内に導かれ、そこから流れ出し得る入口４２と出口（図示せず）が含まれる。筺体部１２は、米国特許出願第１０／９７２，９７８号明細書に示すようなモジュール式でもよく、または米国特許出願第１０／９７２，９７６号明細書に示すような非モジュール式でもよい。さらにこの筺体部１２はフィルタ筺体部１２内にフィルタエレメント（図示せず）を保持するように構成されてもよい。その場合のフィルタエレメントはフィルタバスケットとフィルタバッグの組み合わせや、フィルタカートリッジ、その他の適切な形式のフィルタエレメントのいずれでもよい。このようなフィルタエレメントは、フィルタエレメントに流体を通過させるため、アクセス口２２を介して筺体部１２内部に設置してもよい。
【００１３】
筺体部１２は、３１６ステレンス鋼、３０４ステレンス鋼、炭素鋼、またはポリプロピレン等、適切な材料で製造してよい。図示の実施形態では、２０％ガラス充填したポリプロピレンを使用している。当技術分野で公知のように、筺体部１２に使用した材料や、フィルタアセンブリ１０、流体ろ過装置の用途により、筺体部１２の内部に様々なコーティングを行ってもよい。
【００１４】
図１に示すように、断面図部分において蓋部１４は筺体部１２とカム界面を介して界接している。カム界面については詳細に後述する。図１ではさらに、筺体部１２に流出穴２０が開けられ、流出穴２０の内部に流出ガスケット１８が嵌合されている。図２は、筺体部１２の上縁部に２つの対向する流出穴１８を示している。図示の実施形態では、流出穴２０を２か所示しているが、流出穴２０の数は複数でもよく、この数を制限するのは筺体部１２に配置されるカム部材の数のみである。図２に示すように、流出穴２０はその内部に流出ガスケット１８を貫通して配置できるようになっており、流出ガスケット１８の円周部は筺体部１２の外側に向かって延在している。蓋部１４が筺体部１２に界接すると、蓋部のカム係止部材２８は各流出ガスケット１８の延在する円周部を遮る位置に着脱自在に配置され、各流出ガスケット１８の延在する円周部が蓋部の各カム係止部材２８に結合して蓋部１４と筺体部１２とを封止する。蓋部１４が筺体部１２から外れたとき、または蓋部１４が適切な装着位置にないときには、流体が流出穴２０を通じて流出して、流体ろ過装置の操作者に対し蓋部１４と筺体部１２との位置が整合していないことを示し、装置の作動停止を促すように設計されている。
【００１５】
図２にはさらに垂直方向に延在する円筒状の縁部３０と縁部３０に装着された円筒状に延在するガスケット３２が示されている。図３に示すように、ガスケット３２は開放端３３を備えているので、蓋部１４が筺体部１２に正しく装着されると、ガスケット３２は圧縮して筺体部１２の内側の半径方向表面３４に結合する。ガスケット３２は、蓋部１４が筺体部１２と適切に結合し、さらに流体ろ過装置の作動中に蓋部１４が筺体部１２から流体を流出させないための位置合わせ機構を提供する。
【００１６】
流体フィルタアセンブリ１０にはさらに蓋部１４に取り付けられた安全ピン３６が含まれている。安全ピン３６には蓋部１４の穴を貫通して垂直上方向に延在する部分と、蓋部１４の穴を貫通して垂直下方向に延在し筺体部１２とカム界面において接触するプランジャ４０が含まれている。安全ピン３６の内部には、プランジャ４０が蓋部１４を筺体部１２に固定するための機構を提供するバネ３８が含まれている。安全ピン３６を蓋部１４に固定するため、図３のように安全ピン３６は蓋部１４の貫通穴に螺合するのが好ましい。
【００１７】
図４のように、本発明には、蓋部１４を筺体部１２に結合し、公知の流体ろ過装置と比較してより確実な結合を提供するカム界面が含まれている。筺体部１２には円周方向に延在する係止部分２４と長手方向に延在する止め部分２６を備えるカム部材が含まれている。蓋部１４には係止部材２８が配置されており、この係止部材２８が筺体部１２のカム係止部分２４と止め部分２６とに噛合う。このとき係止部材２８は係止部分２４の下部に嵌合し、係止部材２８が止め部分２６に当接してその移動を完了するときに、蓋部１４が筺体部１２に結合する。図４の断面部に示すように、流出穴２０と流出ガスケット１８は係止部分２４の下に止め部分２６に近接して筺体部１２に配置されている。従って、蓋部１４のカム係止部材２８が係止部分２４と止め部分２６に噛合うと、流出穴２０はカム係止部材２８により覆われる。
【００１８】
流体フィルタアセンブリ１０を使用する前に、フィルタエレメントを筺体部１２内にアクセス口２２を介して装着する必要がある。まず蓋部１４を取り外し、次に米国特許出願第１０／９７２，９７６号明細書と米国特許出願第１０／９７２，９７８号明細書に開示されるように、フィルタエレメントをアクセス口２２に長手方向に挿入する。
【００１９】
次に、図７のように蓋部１４を、筺体部１２を覆うように配置する。図７に示すように、蓋部１４の各カム係止部材２８は、最初は筺体部１２の各カム係止部分２４と各止め部分２６の間に隔置されている。蓋部１４が筺体部１２の上縁部を覆って下向きに嵌合されると、ガスケット３２が筺体部１２の内側の半径方向表面３４に界接し、接触する。このとき安全ピン３６が押し上げられ、バネ３８は押しつぶされて、プランジャ４０は筺体部１２のいずれかのカム部材の円周方向に延在する係止部分２４に接触する。安全ピン３６がこの上方向に延在する位置にあることにより、本発明の流体ろ過装置の操作者に対して蓋部１４と筺体部１２はまだ正しい装着位置にないことが視覚的に表示される。
【００２０】
蓋部１４を筺体部１２に固定するためには、図５に図示の実施形態に示すように、蓋部のハンドル１６を使って蓋部１４を時計回り方向にひねる。図に示すように、蓋部１４のカム係止部材２８はカム係止部分２４の下を移動して係止部分２４と噛合う。図５に示すように、筺体部１２のカム係止部分２４は、蓋部１４のカム係止部材２８と噛合う部分が右から左に水平方向から上向きに数度の角度がつくように勾配をつけるのが好ましい。この上向きにつけた角度により、蓋部１４が筺体部１２から外れるときに下向きの力がさらに必要となるために、蓋部１４と筺体部１２の固定がさらに確実になる。
【００２１】
図４に示すように、蓋部１４のカム係止部材２８が筺体部１２のカム係止部分２４の下での移動を完了して止め部分２６に当接すると、バネ３８が再度伸長するため安全ピン３６のプランジャ４０が円周方向に延在する係止部分２４の側を通過して落ち込む。こうしてプランジャ４０は係止部分２４の外縁部に当接したので、蓋部１４が反時計回り方向に意図せずして回転し外れることを防止する。蓋部１４と筺体部１２のこの結合は図１の密封位置にも示される。
【００２２】
蓋部１４が筺体部１２に固定されてアクセス口２２が密封された状態で、流体は入口４２を介して筺体部１２内に導かれ、フィルタエレメント（図示せず）を通過して、出口（図示せず）から流れ出す。このとき流体ろ過装置は加圧するのも好ましい。蓋部１４が筺体部１２にガスケット３２において正しい位置で装着されていない場合、流体はガスケット３２が封止する蓋部１４と筺体部１２の間の開口部を介して流出する。筺体部１２の外側に流体が存在することを視覚的に示すしるしが、流体ろ過装置の操作者に対し流体ろ過装置が正しく作動していないことを示し、よって操作者に流体のろ過作業を中止するよう促すこととなる。さらに、蓋部１４が筺体部１２に流出穴２０と流出ガスケット１８において正しい位置で装着されていない場合、流体は流出穴２０を介して流出し筺体部１２の外側に出現して、流体ろ過装置の操作者に対して流体が漏れていることを示し、操作者に流体ろ過装置を停止するように促す。
【００２３】
蓋部１４を筺体部１２から取り外すときには上述した一連の事象が行われる。まず安全ピン３６を持ち上げてバネ３８を押しつぶしながら、係止部分２４の外縁部に当接した位置からプランジャ４０を解放する必要がある。同時にハンドル１６を使って蓋部１４を反時計回転方向に回すことにより、図５に示すように蓋部１４の係止部材２８を筺体部１２の係止部分２４の下の位置から外す。安全ピン３６に加えて蓋部１４の係止部材２８と筺体部１２の係止部分２４が構成するカム界面も共に用いることにより、操作者は筺体部１２から蓋部１４を外すために両手を使用して蓋部１４を下向きに加圧しなければならない。これら複数の安全機能により筺体部１２と蓋部１４の結合がより確実なものとなる。
【００２４】
上述の説明から、ここに開示する本発明はレクリエーション用車両の支持と安定化のための新規で有利な装置を提供することが明らかであろう。上述の説明はあくまでも本発明の例示的な方法や例示的な実施形態を説明、開示するものである。本発明の趣旨や本質的特徴から逸脱することなく、本発明を他の固有の形式で実施し、また他の材料を使用できることは当業者には明白であろう。従って本発明の開示は例を示すことを意図したものであり、特許請求の範囲に定める発明の範囲を限定することを意図したものではない。
【図１】
2010527768.tif 000003
【図２】
2010527768.tif 000004
【図３】
2010527768.tif 000005
【図４】
2010527768.tif 000006
【図５】
2010527768.tif 000007
【図６】
2010527768.tif 000008
【図７】
2010527768.tif 000009
【手続補正書】
【提出日】平成22年1月29日(2010.1.29)
【手続補正１】
【補正対象書類名】特許請求の範囲
【補正対象項目名】全文
【補正方法】変更
【補正の内容】
【特許請求の範囲】
【請求項１】
入口と出口を有する流体通路を画定する内側表面とアクセス口とを備えた筺体部と、
カム界面により前記筺体部に着脱自在に固定可能な蓋部と、
通過する流体をろ過するように構成されたフィルタエレメントと、
前記蓋部と前記筺体部との間を密封して配置されたガスケットと、
筺体部カム部材に近接して前記筺体部に配置された流出穴と、前記蓋部内の安全ピンとを含み、
前記カム界面は前記筺体部と前記蓋部との両方にカム部材を含み、
前記安全ピンは選択的に前記蓋部を前記筺体部に着脱自在に固定する働きをし、前記筺体部カム部材は下垂する止め部分を含み、前記流出穴は前記止め部分の片側に位置し、前記安全ピンはプランジャを含んでおり、前記プランジャは、前記蓋部が着脱自在に前記筺体部に貫通して固定され、前記カム部材が前記流出穴を覆い封止するときに、筺体部の前記カム部材の側を通過して、前記カム部材の止め部分に近接し前記流出穴とは反対側に着座係合する流体フィルタアセンブリ。
【請求項２】
前記流出穴の内部に着脱自在に固定された流出ガスケットをさらに備えており、前記流出ガスケットの一部分が前記流出穴を横方向に貫通して延在し、前記流出ガスケットの別の部分が前記筺体部の外側表面から横方向に延在する請求項１に記載の流体フィルタアセンブリ。
【請求項３】
複数の前記流出穴と前記流出ガスケットをさらに備える請求項１に記載の流体フィルタアセンブリ。
【請求項４】
前記フィルタエレメントが、フィルタバスケットと、前記フィルタバスケットに係合可能なフィルタバッグとを含む請求項１に記載の流体フィルタアセンブリ。
【請求項５】
前記フィルタエレメントが、フィルタカートリッジを含む請求項１に記載の流体フィルタアセンブリ。
【請求項６】
前記筺体部の各カム部材が、円周方向に延在する部分と、長手方向に延在する止め部分とを含む請求項１に記載の流体フィルタアセンブリ。
【請求項７】
入口と出口を有する流体通路を画定する内側表面とアクセス口とを備えたフィルタ筺体部を設けるステップと、
通過する流体をろ過するように構成されたフィルタエレメントを前記流体通路内に配置するステップと、
前記フィルタ蓋部と前記フィルタ筺体部との間を密封して配置されたガスケットとカム界面とにより、前記フィルタ筺体部に着脱自在に固定可能な前記フィルタ蓋部を設けるステップと、
前記フィルタ蓋部を、前記アクセス口を覆うように前記フィルタ蓋部を配置して、前記フィルタ蓋部を前記フィルタ筺体部に着脱自在に固定するステップと、
前記入口から前記出口まで前記フィルタ筺体部と前記フィルタエレメントを介して流体を通過させるステップであって、前記カム界面が前記フィルタ筺体部と前記フィルタ蓋部との両方に複数のカム部材を含むステップと、
前記フィルタ筺体部に流出穴を設けるステップであって、前記複数のフィルタ筺体部カム部材の少なくとも１つのカム部材が下垂する止め部分を含み、前記流出穴が止め部分の片側に位置するステップと、
前記フィルタ蓋部に安全ピンを設けるステップであって、前記安全ピンは前記１つのカム部材と当接して選択的に前記フィルタ蓋部を前記フィルタ筺体部に着脱自在に固定可能にする働きをし、前記安全ピンはプランジャを含み、前記プランジャは、前記フィルタ蓋部が前記フィルタ筺体部に固定されて前記１つのカム部材が前記フィルタ筺体部の前記流出穴を覆い封止するときに、前記１つのカム部材の側を通過して、前記止め部分に近接し前記流出穴とは反対側に着座係合するステップと、
を含む流体ろ過方法。
【請求項８】
前記ガスケットが、前記フィルタ筺体部内を流れる流体と流体連通する開放端をさらに含む、請求項７に記載の方法。
【請求項９】
前記複数の流出穴の内部に着脱自在に固定された複数の流出ガスケットを設けるステップをさらに含んでおり、前記流出ガスケットの一部分は前記流出穴を横方向に貫通して延在し、前記流出ガスケットの別の部分は前記フィルタ筺体部の外側表面から横方向に延在する請求項７に記載の方法。
【請求項１０】
前記フィルタ筺体部の各カム部材が、円周方向に延在する部分と、長手方向に延在する止め部分とを含む請求項７に記載の方法。
【請求項１１】
前記フィルタ蓋部カム部材の各々を、前記フィルタ筺体部カム部材の各々の下に固定するステップをさらに含む請求項１０に記載の方法。
【請求項１２】
前記フィルタ蓋部カム部材の各々を、前記複数の流出穴と流出ガスケットを覆うように配置して着脱自在に固定するステップをさらに含む請求項１１に記載の方法。
【請求項１３】
前記流体フィルタアセンブリを点検して、前記カム界面からの流体の漏れの有無を目視で確認するステップをさらに含む請求項１２に記載の方法。
【国際調査報告】
2010527768.tif 000010